(57)【要約】【課題】電極が薄い場合でも異方導電性接着剤を十分に排除でき、接続信頼性を確保できる回路部材、接続構造体及び接続構造体の製造方法を提供する。【解決手段】この回路部材は、基板と、基板の一面側に形成された電極とを備え、導電粒子及び接着剤成分を含む異方導電性接着剤を介して別の基板に圧着される回路部材であって、基板の電極未形成部分には、圧着の際に異方導電性接着剤が流入する基板孔部が形成されている。【選択図】図１
2014222701.tif 000002
【特許請求の範囲】
【請求項１】
基板と、前記基板の一面側に形成された電極とを備え、導電粒子及び接着剤成分を含む異方導電性接着剤を介して別の基板に圧着される回路部材であって、
前記基板の前記電極未形成部分には、圧着の際に前記異方導電性接着剤が流入する基板孔部が形成されていることを特徴とする回路部材。
【請求項２】
前記基板孔部は、前記導電粒子の流入を許容する大きさで形成されていることを特徴とする請求項１に記載の回路部材。
【請求項３】
前記基板孔部は、前記基板を貫通する深さで形成されていることを特徴とする請求項１又は２に記載の回路部材。
【請求項４】
前記基板孔部は、平面視において、前記基板の全面にわたって格子状に形成されていることを特徴とする請求項１〜３のいずれか一項に記載の回路部材。
【請求項５】
前記基板孔部は、平面視において、前記基板の全面にわたって所定の間隔で直線状に形成されていることを特徴とする請求項１〜３のいずれか一項に記載の回路部材。
【請求項６】
前記電極には、圧着の際に前記異方導電性接着剤が流入する電極孔部が形成されていることを特徴とする請求項１〜５のいずれか一項に記載の回路部材。
【請求項７】
前記電極孔部は、前記接着剤成分の流入を許容する一方で、前記導電粒子の流入を許容しないように形成されていることを特徴とする請求項６に記載の回路部材。
【請求項８】
基板と、前記基板の一面側に形成された電極とを備える回路部材同士を、導電粒子及び接着剤成分を含む異方導電性接着剤を介して圧着してなる接続構造体であって、
前記回路部材の少なくとも一方において、前記基板の前記電極未形成部分には、圧着の際に前記異方導電性接着剤が流入する基板孔部が形成されていることを特徴とする接続構造体。
【請求項９】
前記回路部材の少なくとも一方において、前記電極には、圧着の際に前記異方導電性接着剤が流入する電極孔部が形成されていることを特徴とする請求項８に記載の接続構造体。
【請求項１０】
基板と、前記基板の一面側に形成された電極とを備える回路部材同士を、導電粒子及び接着剤成分を含む異方導電性接着剤を介して圧着する接続構造体の製造方法であって、
前記回路部材の少なくとも一方において、前記基板の前記電極未形成部分に基板孔部を形成し、圧着の際に前記基板孔部に前記異方導電性接着剤を流入させることを特徴とする接続構造体の製造方法。
【請求項１１】
前記回路部材の少なくとも一方において、前記電極に電極孔部を形成し、圧着の際に前記電極孔部に前記異方導電性接着剤を流入させることを特徴とする請求項１０に記載の接続構造体の製造方法。
【発明の詳細な説明】
【技術分野】
【０００１】
本発明は、回路部材、接続構造体及び接続構造体の製造方法に関する。
【背景技術】
【０００２】
従来、回路部材同士を電気的に接続する方法として、異方導電性接着剤を用いた接続方法が知られている（例えば特許文献１、２参照）。この方法では、導電粒子及び接着剤成分を含む異方導電性接着剤を介して回路部材同士を圧着し、導電粒子を回路部材の電極間に介在させることによって回路部材同士を電気的に接続する。
【先行技術文献】
【特許文献】
【０００３】
【特許文献１】特開昭６０−１９１２２８号公報
【特許文献２】特開平１−２５１７８７号公報
【発明の概要】
【発明が解決しようとする課題】
【０００４】
近年、電子機器の小型化及び薄型化にともない、回路の高密度化が進んでおり、電極の小型化及び薄型化も顕著となってきている。特に電極が薄い場合には、異方導電性接着剤を用いて回路部材同士を圧着して接続する際、異方導電性接着剤の流動の方向性が生じにくくなる。そのため、異方導電性接着剤の排除が不十分となり、接続信頼性の確保が困難となるおそれがあった。また、圧着の時間が長引くことで、回路部材同士の位置ずれが生じ易くなるという問題があった。
【０００５】
本発明は、上記課題を解決するためになされたものであり、電極が薄い場合でも異方導電性接着剤を十分に排除でき、接続信頼性を確保できる回路部材、接続構造体及び接続構造体の製造方法を提供することを目的とする。
【課題を解決するための手段】
【０００６】
本発明に係る回路部材は、基板と、基板の一面側に形成された電極とを備え、導電粒子及び接着剤成分を含む異方導電性接着剤を介して別の基板に圧着される回路部材であって、基板の電極未形成部分には、圧着の際に異方導電性接着剤が流入する基板孔部が形成されていることを特徴とする。
【０００７】
この回路部材では、回路部材を別の回路部材と圧着する際に異方導電性接着剤が流入する基板孔部が基板の電極未形成部分に形成されている。この基板孔部により、圧着の際に異方導電性接着剤を基板孔部に向って流動させることができる。このため、電極が薄い場合であっても、圧着の際に異方導電性接着剤を排除しやすくなり、接続信頼性を確保できる。また、圧着に要する時間を短縮できるので、回路部材同士の位置ずれを防止できる。
【０００８】
基板孔部は、導電粒子の流入を許容する大きさで形成されていることが好ましい。この場合、導電粒子によって基板孔部が塞がれることを抑制でき、異方導電性接着剤の流動性を維持できる。
【０００９】
基板孔部は、基板を貫通する深さで形成されていることが好ましい。この場合、異方導電性接着剤が流入するための基板孔部の体積を十分に確保でき、異方導電性接着剤の流動性を維持できる。
【００１０】
基板孔部は、平面視において、基板の全面にわたって格子状に形成されていることが好ましい。基板孔部が基板の全面にわたって形成されていることで、基板の全面にわたって異方導電性接着剤の流動性を維持できる。
【００１１】
基板孔部は、平面視において、基板の全面にわたって所定の間隔で直線状に形成されていることが好ましい。基板孔部が基板の全面にわたって形成されていることで、基板の全面にわたって異方導電性接着剤の流動性を維持できる。
【００１２】
電極には、圧着の際に異方導電性接着剤が流入する電極孔部が形成されていることが好ましい。この場合、電極にも異方導電性接着剤が流入する電極孔部が形成されているため、異方導電性接着剤の流動性をさらに高めることができる。
【００１３】
電極孔部は、接着剤成分の流入を許容する一方で、導電粒子の流入を許容しないように形成されていることが好ましい。このような電極孔部により、接着剤成分の流入を許容して流動性を確保する一方、接着剤成分とともに電極孔部に向かって流動した導電粒子を電極孔部の入口付近で捕捉できる。このため、導電粒子を電極間により確実に介在させることが可能となり、接続信頼性を向上できる。
【００１４】
また、本発明に係る接続構造体は、基板と、基板の一面側に形成された電極とを備える回路部材同士を、導電粒子及び接着剤成分を含む異方導電性接着剤を介して圧着してなる接続構造体であって、回路部材の少なくとも一方において、基板の電極未形成部分には、圧着の際に異方導電性接着剤が流入する基板孔部が形成されていることを特徴とする。
【００１５】
この接続構造体では、回路部材同士を圧着する際に異方導電性接着剤が流入した基板孔部が基板の電極未形成部分に形成されている。この基板孔部により、圧着の際に異方導電性接着剤を基板孔部に向って流動させることができる。このため、電極が薄い場合であっても、圧着の際に異方導電性接着剤を排除しやすくなり、接続信頼性を確保できる。また、圧着に要する時間を短縮できるので、回路部材同士の位置ずれの防止が可能となる。
【００１６】
回路部材の少なくとも一方において、電極には、圧着の際に異方導電性接着剤が流入する電極孔部が形成されていることが好ましい。この場合、電極にも異方導電性接着剤が流入する電極孔部が形成されているため、異方導電性接着剤の流動性をさらに高めることができる。
【００１７】
本発明に係る接続構造体の製造方法は、基板と、基板の一面側に形成された電極とを備える回路部材同士を、導電粒子及び接着剤成分を含む異方導電性接着剤を介して圧着する接続構造体の製造方法であって、回路部材の少なくとも一方において、基板の電極未形成部分に基板孔部を形成し、圧着の際に基板孔部に異方導電性接着剤を流入させることを特徴とする。
【００１８】
この接続構造体の製造方法では、回路部材同士を圧着する際に基板孔部に異方導電性接着剤を流入させることにより、基板孔部に向かって異方導電性接着剤を流動させることができる。このため、電極が薄い場合であっても、圧着の際に異方導電性接着剤を排除しやすくなり、接続信頼性を確保できる。また、圧着に要する時間を短縮できるので、回路部材同士の位置ずれの防止が可能となる。
【００１９】
回路部材の少なくとも一方において、電極に電極孔部を形成し、圧着の際に電極孔部に異方導電性接着剤を流入させることが好ましい。この場合、圧着の際に電極にも異方導電性接着剤を流入させることができるため、異方導電性接着剤の流動性をさらに高めることができる。
【発明の効果】
【００２０】
本発明によれば、電極が薄い場合でも異方導電性接着剤を十分に排除でき、接続信頼性を確保できる。
【図面の簡単な説明】
【００２１】
【図１】本発明に係る接続構造体の第一実施形態を示す模式的断面図である。
【図２】図１の接続構造体に用いられる回路部材を示す模式的平面図である。
【図３】図２の回路部材の模式的拡大断面図である。
【図４】図１の接続構造体の製造方法を示す模式的断面図である。
【図５】本発明に係る接続構造体の第二実施形態を示す模式的断面図である。
【図６】図５の接続構造体に用いられる回路部材を示す模式的平面図である。
【図７】図６の回路部材の模式的拡大断面図である。
【図８】図６の回路部材が備える電極を示す模式的平面図である。
【図９】図５の接続構造体の製造方法を示す模式的断面図である。
【図１０】変形例に係る回路部材の模式的平面図である。
【図１１】変形例に係る回路部材の模式的断面図である。
【発明を実施するための形態】
【００２２】
以下、図面を参照しながら、本発明に係る回路部材、接続構造体、及び接続構造体の製造方法の好適な実施形態について詳細に説明する。
【００２３】
［第一実施形態］
（接続構造体の構成）
図１は、本発明の第一実施形態に係る接続構造体を示す模式的断面図である。図１に示すように、この接続構造体１は、回路部材２と回路部材１２とを、導電粒子５１及び接着剤成分５２を含む異方導電性接着剤５を介して接合することによって構成されている。
【００２４】
回路部材２は、基板３と、基板３の一面側に形成された電極４とを備えている。回路部材２としては、例えばＩＣチップが用いられる。基板３としては例えば半導体シリコン基板が用いられ、電極４としては例えばＡｕからなるバンプ電極が用いられる。電極４の厚みは、特に制限されないが、例えば３μｍ以下である。
【００２５】
回路部材１２は、基板１３と、基板１３の一面側に形成された電極１４とを備えている。回路部材１２としては、例えば液晶ディスプレイが用いられる。回路部材１２が液晶ディスプレイの場合、基板１３としては例えばガラス基板が用いられ、電極１４としては例えばＩＴＯ（インジウム錫酸化物）電極が用いられる。
【００２６】
接続構造体１では、回路部材２と回路部材１２とが、電極４と電極１４とを対向させた状態で異方導電性接着剤５を介して圧着されている。これにより、電極４と電極１４との間に導電粒子５１を介在させることができ、回路部材２と回路部材１２との電気的な接続が実現されている。
【００２７】
異方導電性接着剤５は、導電粒子５１及び接着剤成分５２を含む。導電粒子５１及び接着剤成分５２は、用途により適宜配合される。例えば、１００体積％の接着剤成分５２に対して、導電粒子５１は、０．０１〜５０体積％、好ましくは０．１〜３０体積％の割合で配合される。これにより、電極４と電極１４との間に十分な数の導電粒子５１を介在させることができる。
【００２８】
導電粒子５１としては、例えば、Ａｕ、Ａｇ、Ｎｉ、Ｃｕ、はんだ等の金属粒子、又は、カーボン、ガラス、セラミック、プラスチック等の非導電粒子をＮｉ、Ｐｄ、Ａｕ、Ａｇ、Ｐｔ等の金属で被覆した粒子が用いられる。導電粒子５１として金属粒子を用いる場合には、粒子表面の酸化を抑制するために粒子表面を貴金属で被覆した金属粒子を用いることが好ましい。
【００２９】
上記導電粒子の中でも、プラスチック粒子をＮｉ、Ｐｄ、Ａｕ、Ａｇ等で被覆した導電粒子及び熱溶融する金属粒子が好ましい。これらの粒子を導電粒子５１として用いた場合、圧着の際に導電粒子５１が変形し、導電粒子５１と電極４及び電極１４との接触面積を増加させることができるため、接続信頼性をより向上させることが可能となる。
【００３０】
金属粒子又は非導電粒子を貴金属又は金属で被覆する場合の被覆層の厚さは、接続信頼性を確保するために、例えば、１０ｎｍ以上が好ましく、３０ｎｍ以上がより好ましい。また、導電粒子を絶縁性物質でさらに被覆することが好ましい。この場合、被覆層の厚さを例えば２０〜５００ｎｍとすることで、接続信頼性及び絶縁信頼性を確保しやすくなる。また、導電粒子５１の直径は、電極４，１４の面積、隣接する電極４同士及び電極１４同士の距離により適宜選定されるが、例えば５００〜５００００ｎｍであることが好ましい。
【００３１】
接着剤成分５２は、接続信頼性の観点から、エポキシ樹脂、（メタ）アクリル樹脂、マレイミド樹脂、シトラコンイミド樹脂、ナジイミド樹脂、フェノール樹脂等と、熱重合開始剤、硬化剤等とを含む熱硬化性樹脂；エポキシ樹脂、（メタ）アクリル樹脂等と光重合開始剤とを含む光硬化性樹脂；又はこれらを併用した樹脂から構成されることが好ましい。また、接着剤成分５２は、フィルム成形性及び接着時の応力緩和性の観点から、アクリルゴム、スチレン‐ブタジエン‐スチレン共重合体、スチレン−イソプレン−スチレン共重合体等の熱可塑性樹脂を含むことが好ましい。
【００３２】
また、接着剤成分５２は、異方導電性接着剤５の接着性及び硬化時の応力緩和性の観点から、ポリビニルブチラール樹脂、ポリビニルホルマール樹脂、ポリエステル樹脂、ポリアミド樹脂、ポリイミド樹脂、キシレン樹脂、フェノキシ樹脂、ポリウレタン樹脂、尿素樹脂、アクリルゴム等の高分子成分を含むことが好ましい。これらの高分子成分は、接着性向上の観点から、カルボキシル基、水酸基、エポキシ基等の官能基を有することが好ましい。また、これらの高分子成分の分子量は、１００００〜１０００００００であることが好ましい。
【００３３】
（回路部材の構成）
図２は、第一実施形態に係る接続構造体に用いられる回路部材２を示す模式的平面図である。また、図３は、図２の回路部材２の模式的拡大断面図である。図２に示すように、この回路部材２では、略正方形状を有する複数の電極４が、基板３の一方の長辺に沿って所定の間隔で二列に配置されており、また基板３の他方の長辺に沿って所定の間隔で一列に配置されている。また、図２において、基板３の電極４未形成部分には、基板３の全面にわたって基板孔部３ａが格子状に形成されている。
【００３４】
この基板孔部３ａは、回路部材２と回路部材１２とを圧着する際に導電粒子５１及び接着剤成分５２の流入を許容する大きさで形成されている。具体的には、基板孔部３ａの平面形状は、接着剤成分５２の流入を維持するために、例えば１μｍ以上の直径を有する円状であり、好ましくは導電粒子５１による基板孔部３ａの閉塞を防止するために、例えば導電粒子５１の直径よりも大きい直径を有する円状である。また、基板孔部３ａの平面形状は、基板３の強度を確保するために、例えば電極４間の最短距離の１／２以下の直径を有する円状である。また、基板孔部３ａは、図３に示すように、基板３を貫通する深さで形成されている。
【００３５】
基板孔部３ａの個数は、特に限定されないが、回路部材２に形成された基板孔部３ａの総体積が異方導電性接着剤５の体積に対して５０〜１５０％となる個数であることが好ましい。基板孔部３ａの総体積が５０％以上であると、異方導電性接着剤５が流入できる体積を十分に確保され、異方導電性接着剤５の流動性を維持できる。また、孔部４１の総体積が１５０％以下であると、基板孔部３ａから湿気が入り込むことによる接続信頼性の低下を抑制できる。
【００３６】
（接続構造体の製造方法）
図４は、第一実施形態に係る接続構造体の製造方法を示す模式的断面図である。図４（ａ）に示すように、まず、回路部材２及び回路部材１２を準備する。基板３には予め基板孔部３ａを形成する。基板３に基板孔部３ａを形成する方法としては、メカニカルドリリング、パンチング、化学エッチング、サンドブラスト法、電子ビーム加工、放電加工、レーザー穴あけ等の公知の方法を用いることができる。
【００３７】
次に、図４（ｂ）に示すように、電極４と電極１４とが対向するように、導電粒子５１及び接着剤成分５２を含む異方導電性接着剤５を介して回路部材２及び回路部材１２を配置する。続いて、図４（ｃ）に示すように、回路部材２及び回路部材１２に対して、それぞれ矢印Ａ及び矢印Ｂの方向に圧力をかけて圧着する。この圧着の際、矢印Ｃで示すように、異方導電性接着剤５が基板３に形成された基板孔部３ａに流入する。その後、加熱又は光照射によって接着剤成分５２を硬化させることで、図１に示す接続構造体１が得られる。
【００３８】
（基板孔部の作用効果）
従来、電極が厚い場合であれば、電極自体が堰のような役割を果たし、圧着の際に異方導電性接着剤を電極の側面に沿って流動させることができた。しかし、電極が薄い場合には、圧着の際に異方導電性接着剤の流動の方向性がなくなるため、異方導電性接着剤の流動性が低下しやすかった。
【００３９】
これに対して本実施形態では、回路部材２と回路部材１２とを圧着する際、異方導電性接着剤５が持続的に基板孔部３ａに流入する。このため、電極４が薄い（例えば３μｍ以下）場合でも、異方導電性接着剤５の基板孔部３ａに向かう流動性を高めることができる。したがって、圧着の際に異方導電性接着剤５を排除しやすくなり、接続信頼性を確保できる。また、圧着に要する時間を短縮できるので、回路部材２と回路部材１２との位置ずれを防止できる。
【００４０】
また、本実施形態では、平面視において、基板３の全面にわたって基板孔部３ａが形成されていることで、基板３の全面にわたって異方導電性接着剤５の流動性を維持できる。さらに、基板孔部３ａが基板３を貫通する深さで形成されていることで、異方導電性接着剤５が流入する体積を十分に確保できるため、より確実に異方導電性接着剤５の流動性を維持できる。
【００４１】
［第二実施形態］
図５は、本発明の第二実施形態に係る接続構造体を示す模式的断面図である。また、図６は、図５の接続構造体に用いられる回路部材を示す模式的平面図である。また、図７は、図６の回路部材の模式的拡大断面図である。本実施形態に係る接続構造体は、第一実施形態に係る接続構造体と同様の構成を有するものであるが、図５、図６及び図７に示すように、回路部材２が備える電極４に電極孔部４ａが形成されている点で異なる。この電極孔部４ａは、図７に示すように、電極４及び基板３を貫通する深さで形成されている。
【００４２】
図８は、回路部材２が備える電極４を示す模式的平面図である。図８に示すように、電極４に形成されている電極孔部４ａの平面形状は、例えば導電粒子５１の直径より大きい長径と導電粒子５１の直径より小さい短径とを有する楕円状である。このような電極孔部４ａでは、回路部材２と回路部材１２とを圧着する際、導電粒子５１が電極孔部４ａの入口付近で捕捉される。一方、導電粒子５１が捕捉された場合でも、電極孔部４ａのうち、捕捉された導電粒子５１からはみ出る開放部分から接着剤成分５２を流入させることができる。
【００４３】
図９は、第二実施形態に係る接続構造体の製造方法を示す模式的断面図である。図９（ａ），（ｂ）は、図４（ａ），（ｂ）に示す第一実施形態に係る接続構造体の製造方法と同様であるが、図９（ａ）において、回路部材２が備える電極４に予め電極孔部４ａを形成する点で異なる。
【００４４】
図９（ｃ）では、回路部材２及び回路部材１２に対してそれぞれ矢印Ａ及び矢印Ｂの方向に圧力をかけて圧着すると、異方導電性接着剤５は、矢印Ｃで示すように基板孔部３ａ内に流入するとともに、電極孔部４ａ内に流入しようとする。この際、導電粒子５１は電極孔部４ａの入口付近で捕捉される。一方、導電粒子５１が捕捉された場合でも、矢印Ｄで示すように、電極孔部４ａの開放部分から接着剤成分５２を電極孔部４ａ内に流入させることができる。
【００４５】
本実施形態では、第一実施形態と同様に基板孔部３ａにより、圧着の際に異方導電性接着剤５を排除しやすくなり、接続信頼性を確保できる。また、圧着に要する時間を短縮できるので、回路部材２と回路部材１２との位置ずれを防止できる。
【００４６】
本実施形態ではさらに、電極孔部４ａにより、圧着の際に接着剤成分５２を持続的に電極孔部４ａに流入させる。その一方で、導電粒子５１を電極４に向かって流動させつつ、電極孔部４ａの入口付近で捕捉させることで電極４付近に密集させる。このため、異方導電性接着剤５の流動性を高められる一方で、電極４と電極１４との間に導電粒子５１をより確実に介在させることが可能となり、回路部材２と回路部材１２との接続信頼性を向上できる。
【００４７】
［変形例］
上述した実施形態では、基板３のみに基板孔部３ａが形成されていたが、さらに基板１３にも基板孔部３ａと同様の基板孔部が形成されていてもよい。あるいは、基板３には基板孔部が形成されずに、基板１３のみに基板孔部３ａと同様の基板孔部が形成されていてもよい。
【００４８】
基板３に加えて基板１３にも基板孔部３ａと同様の基板孔部が形成されている場合、基板１３に形成される基板孔部は、回路部材２と回路部材１２とを圧着した際に基板孔部３ａと対向する位置に形成されていてもよく、基板孔部３ａと対向しない位置に形成されていてもよい。基板１３に形成される基板孔部が基板孔部３ａと対向しない位置に形成されていると、圧着の際に基板３，１３の全面にわたって異方導電性接着剤５をより流動させやすくなる。
【００４９】
また、上述した実施形態では、電極４のみに電極孔部４ａが形成されていたが、さらに電極１４にも電極孔部４ａと同様の電極孔部が形成されていてもよい。あるいは、電極４には電極孔部が形成されずに、電極１４のみに電極孔部４ａと同様の電極孔部が形成されていてもよい。この場合も本実施形態と同様に、異方導電性接着剤５の流動性を高められる一方で、電極４と電極１４との間に導電粒子５１を密集させることができ、回路部材２と回路部材１２との接続信頼性を向上できる。
【００５０】
上述した実施形態では、回路部材２は例えばＩＣチップであり、図２に示すように配置された略正方形状を有する電極４を備えていたが、回路部材２は例えばＦＰＣ（フレキシブル印刷配線板）であり、図１０（ａ）〜（ｃ）に示すように、基板３の短辺に平行に所定の間隔で配置された長辺が短辺よりも著しく長い長方形状を有する電極４を備えていてもよい。この場合、基板３としてはポリイミド基板等が用いられ、電極４としては銅箔等からなる電極が用いられる。
【００５１】
図１０（ａ）では、基板３の電極４未形成部分に、基板３の全面にわたって基板孔部３ａが格子状に形成されている。この場合でも、上述した実施形態と同様に、圧着の際に異方導電性接着剤５を排除しやすくなり、接続信頼性を確保できる。また、圧着に要する時間を短縮できるので、回路部材２と回路部材１２との位置ずれを防止できる。
【００５２】
図１０（ｂ）では、基板３の電極４未形成部分に、基板３の全面にわたって電極４の長辺に沿って所定の間隔で直線状に基板孔部３ａが形成されている。この場合、基板孔部３ａの体積を十分に確保できるので、圧着の際に異方導電性接着剤５をより排除しやすくなり、接続信頼性を確保できる。また、圧着に要する時間をより短縮できるので、回路部材２と回路部材１２との位置ずれを防止できる。
【００５３】
なお、この場合、基板孔部３ａの幅は、接着剤成分５２の流入を維持するために例えば１μｍ以上であり、導電粒子５１の流入を維持するために例えば導電粒子５１の直径よりも大きいことが好ましい。また、基板孔部３ａの幅は、基板３の強度を確保するために例えば電極４間の最短距離の１／２以下である。
【００５４】
図１０（ｃ）では、基板３の電極４未形成部分に、基板３の全面にわたって基板孔部３ａが格子状に形成されている。また、電極４には、電極４の長辺に沿って所定の間隔で電極孔部４ａが形成されている。この場合でも、上述した実施形態と同様に、異方導電性接着剤５の流動性は維持される一方で、電極４と電極１４との間に導電粒子５１を確実に介在させることができるため、回路部材２と回路部材１２との接続信頼性が確保される。
【００５５】
上述した実施形態では、基板孔部３ａは基板３を貫通する深さで形成されていたが、図１１（ａ）に示すように、基板孔部３ａは基板３を貫通しない深さで形成されていてもよい。この場合、基板３の強度を確保できる。
【００５６】
上述した実施形態では、電極孔部４ａは電極４及び基板３を貫通する深さで形成されていたが、図１１（ｂ）に示すように、電極孔部４ａは電極４を貫通し、基板３の内部に到達する深さで形成されていてもよい。この場合、基板３及び電極４の強度を確保できる。
【符号の説明】
【００５７】
１…接続構造体、２…回路部材、３…基板、３ａ…基板孔部、４…電極、４ａ…電極孔部、５…異方導電性接着剤、５１…導電粒子、５２…接着剤成分。
【図１】
2014222701.tif 000003
【図２】
2014222701.tif 000004
【図３】
2014222701.tif 000005
【図４】
2014222701.tif 000006
【図５】
2014222701.tif 000007
【図６】
2014222701.tif 000008
【図７】
2014222701.tif 000009
【図８】
2014222701.tif 000010
【図９】
2014222701.tif 000011
【図１０】
2014222701.tif 000012
【図１１】
2014222701.tif 000013